(57)【要約】【課題】  簡潔な構成で、契約内容に対する同意の意思表示行為が容易になされる申込書を提供する。【課題の解決手段】  申込書１は、説明文や挨拶文などの各種情報が記載されて互いに綴じ合わされた複数枚の用紙２，３，４，６に、払込情報記入欄を内側にして折り畳んだ払込票５を折り兼切り用ミシン目８とは反対側端で閉鎖状にして分離可能に綴じ合わせてなり、払込票５を分離して見開き状態にする行為を、同意の意思表示行為と見なすとともに、所定料金の払い込みをもって契約の申込とするものである。【選択図】    図２
2005225102.tif 000002
【特許請求の範囲】
【請求項１】
説明文や挨拶文などの各種情報が記載されて互いに綴じ合わされた複数枚の用紙に、払込情報記入欄を内側にして折り部で折り畳んだ払込票を、前記折り部とは反対側端で閉鎖状にして分離可能に綴じ合わせてなることを特徴とする申込書。
【発明の詳細な説明】
【技術分野】
【０００１】
本発明は、払込書を備えた申込書に関し、特に、各種保険の満期にともなう契約継続の申込に使用して好適な申込書に関する。
【背景技術】
【０００２】
従来から、各種保険契約において、満期到来時に保険会社が契約者に対し、現行契約内容及び補償のランクアップを図った新たな契約内容を提示して契約継続を勧める通知書を送付することが行われている。契約継続にあたっては、契約者の同意が必要なので、契約者は満期後の継続契約の内容に同意する旨の申込をすることになる。従来は、保険会社から送付された通知書に添付の申込書に、契約者が必要事項を記入したうえ署名、捺印して、保険会社宛に返送することで、契約者の継続契約に対する申込の意思確認をしているのが一般的である。
【発明の開示】
【発明が解決しようとする課題】
【０００３】
しかしながらこの従来例によると、保険会社に対する新たな申込書の送付及び新料金に対応する金額の支払いが必要で、新規の契約と同様の手続となって煩雑であるという不都合がある。この不都合を解消するものとして、既に、継続契約の申込に際して、新たな申込書の送付によらず、コンビニエンスストアなどから新料金を払い込むための払込票を、契約内容を説明した通知書とともに送付し、契約者がこの払込書に表示されたバーコードを被覆するよう貼付されているラベルを剥がす行為を、契約者の署名、捺印行為と同様の同意行為と位置付け、新料金の払い込みを契約申込として取り扱うことが行われている。しかし、このラベルの剥離行為を同意の意思表示とする場合には、ラベルの貼着面にバーコードが転写する虞があるという問題点があった。本発明は、この問題点を解消し、簡潔な構成で、契約内容に対する同意の意思表示行為が容易になされる申込書を提供することを目的とする。
【課題を解決するための手段】
【０００４】
この目的を達成するため、本発明の請求項１に係る申込書は、説明文や挨拶文などの各種情報が記載されて互いに綴じ合わされた複数枚の用紙に、払込情報記入欄を内側にして折り部で折り畳んだ払込票を、前記折り部とは反対側端で閉鎖状にして分離可能に綴じ合わせてなるものである。また、前記払込情報記入欄に、あらかじめ払込情報を印刷あるいは印字しておくと好適である。
【発明の効果】
【０００５】
本発明に係る申込書によれば、払込票を折り畳んで閉鎖状にして分離可能に綴じ合わせているので、払込票を分離して見開き状態とする行為を、契約者の契約内容に対する同意の意思表示とみなすことができ、また、払込票の払込情報記入欄を内側にして折り畳んで閉鎖状にしているので、払込情報は払込票が分離されるまで隠蔽状態にあるという効果を奏する。
【発明を実施するための最良の形態】
【０００６】
以下、本発明の好適な実施形態を添付図面に基づいて説明する。ここにおいて、図１は申込書の全体を示す断面図、図２は払込票を分離した状態の断面図、図３は払込票の払込情報表示面側を示す平面図である。
【０００７】
図１に示すように、申込書１は、挨拶文や契約満了及び契約継続の通知などが表示された表表紙を兼ねる通知用紙２と、従来の契約内容と補償をランクアップした新契約内容を説明する説明文を表示した第１の説明用紙３と、継続契約の申込に関する手続方法を説明する説明文を表示した第２の説明用紙４と、払込情報記入欄を内側にして折り部たる折り兼切り用ミシン目８で二つ折りした払込票５と、保険会社の住所、名称などの連絡先情報を表示した裏表紙を兼ねる保険会社表示用紙６とを、重ね合わせて接着剤７で綴じ合わせ、冊子状に構成してなる。
【０００８】
本実施形態では、説明用紙３には、図示してはいないが、重要事項説明とともに二つの契約内容が提示されているので、払込票５は各契約内容の払込に対応すべく、二つの払込票５ａ，５ｂが切り用ミシン目９を介して上下に連接した構成になっている（図３参照）。また、説明用紙４には、図示してはいないが、「契約内容を確認し、重要事項説明を読んで理解したうえで、所定の保険料を払い込み、保険契約を申し込みます。」なる文章とともに、「この文章の内容に同意し、払込票を分離してコンビニエンスストアにてお支払い下さい。」との注意書きが表示されている。
【０００９】
ここで払込票５は、折り兼切り用ミシン目８とは反対側端で接着剤７により綴じ合わされるとともに、前記綴じ合わせ部分の内側に切り用ミシン目１０を設けて分離可能にしている。また、前記切り用ミシン目１０の内側を接着剤１１で綴じ合わせて閉鎖状にし、さらに、この接着剤１１で綴じ合わせた部分の内側に切り用ミシン目１２，１３を設け、この切り用ミシン目１２，１３を破断すると、閉鎖状の二つ折り状態から見開き可能になるよう構成している。
【００１０】
図３で理解できるように、各払込票５ａ，５ｂは、折り兼切り用ミシン目８と切り用ミシン目１４とによって、本部提出票１５，取扱店舗控１６，払込受領票１７に区画形成され、それぞれ所定の記入欄が設けられるとともに、必要事項があらかじめ印字記入されている。また、前記本部提出票１５の記入欄の下には、４つのバーコード表示がなされている。
【００１１】
本実施形態は以上のように構成したので、契約者が説明文を読んで契約内容を理解し、契約の継続を望む場合には、まず、図２に示すように、払込票５を切り用ミシン目１０を破断することで分離する。次に、各切り用ミシン目１２，１３を破断することによって、図３に示すように、見開き状態とし、自分の希望する契約内容の払込票５ａまたは５ｂを選択してコンビニエンスストアに持参し、所定の料金を払い込むものである。この際、前記切り用ミシン目１２，１３を破断する契約者の行為を新契約内容に同意する意思表示行為とみなし、所定料金の払い込みによって、契約申込がなされたものとして取り扱う。
【００１２】
なお、本発明は上述の実施形態に限定されず、払込票５は一つのプランに対応する１種類のもので構成してもよいし、複数の払込票５ａａ，５ｂを別紙として構成してもよい。また、払込票５は、切り用ミシン目１０を設けずに、切り用ミシン目１２，１３の外側で直接、各用紙２，３，４，６とともに接着剤７で閉鎖状に綴じ合わせてもよい。
【図面の簡単な説明】
【００１３】
【図１】申込書の全体を示す断面図。
【図２】払込票を分離した状態を示す断面図。
【図３】払込票の見開き状態を示す平面図。
【符号の説明】
【００１４】
１      申込書
２      通知用紙
３，４      説明用紙
５      払込票
６      保険会社表示用紙
７，１１      接着剤
８      折り兼切り用ミシン目
９，１２，１３，１４      切り用ミシン目
１５      本部提出票
１６     取扱店舗控
１７     払込受領票
【図１】
2005225102.tif 000003
【図２】
2005225102.tif 000004
【図３】
2005225102.tif 000005